(57)【要約】【課題】  第１表示パネルをフレキシブル基板の外側に接続し、第２表示パネルをフレキシブル基板の開口部内で接続し、各表示パネルをパネルホルダの両面に配置してなる表示装置において、第２表示パネルの幅を第１表示パネルとほぼ同程度にまで拡幅する。【解決手段】  第１表示パネル１０をフレキシブル基板３０の外側に接続し、第２表示パネル２０をフレキシブル基板３０の開口部３２内で接続し、各表示パネル１０，２０をパネルホルダの両面に配置してなり、フレキシブル基板３０内で開口部３２の上部と下部とにパネル駆動用の電子部品が実装され、開口部３２の左右両側にその引き回し配線部３６ａ，３６ｂが設けられている表示装置において、引き回し配線部３６ａ，３６ｂの一部もしくは全部をパネルホルダの外側に張り出して開口部３２の幅を広げることにより、第２表示パネルの幅を第１表示パネルとほぼ同程度にまで拡幅可能とする。【選択図】  図１
2006071694.tif 000002
【特許請求の範囲】
【請求項１】
ともに端子部を有する第１および第２表示パネルと、基板内にパネル配置用の開口部を有するとともに、その開口部内縁側および基板外縁側の各一辺に上記端子部に対する接続片が形成されているフレキシブル基板と、両面にパネル支持面を有するパネルホルダとを含み、上記第１表示パネルが上記基板外縁側の接続片に接続された状態で上記パネルホルダの一方のパネル支持面に配置され、上記第２表示パネルが上記開口部内でその開口部内縁側の接続片に接続された状態で上記フレキシブル基板の折り曲げ部を介して上記パネルホルダの他方のパネル支持面に配置され、上記フレキシブル基板のうちの上記開口部の上部（上記基板外縁の接続片側）と下部とにそれぞれパネル駆動用の電子部品が実装され、上記開口部の左右両側に上記電子部品の引き回し配線部が設けられている表示装置において、
上記引き回し配線部の一部もしくは全部が上記パネルホルダの外側に張り出され、その張出部がほぼ直角に折り曲げられて上記パネルホルダの側面に固定されていることを特徴とする表示装置。
【請求項２】
上記張出部の突出幅が上記パネルホルダの側面の幅以下である請求項１に記載の表示装置。
【発明の詳細な説明】
【技術分野】
【０００１】
本発明は、パネルホルダの両面にそれぞれ表示パネルを備える表示装置に関し、さらに詳しく言えば、パネルホルダの限られたスペース内で表示パネルの大画面化を達成する技術に関するものである。
【背景技術】
【０００２】
携帯電話機を例にして説明すると、最近の折り畳み式携帯電話機のほとんどには、蓋体側の内面と外面とに表示パネルが設けられている。現在のところ、その表示パネルの多くは液晶パネルであるが、有機ＥＬパネルも実用化が進められている。
【０００３】
携帯電話機用途の場合、その限られたスペース内に２枚の表示パネルを組み込む必要があるためさまざまな工夫がなされているが、特許文献１には２枚の表示パネルに対してフレキシブル基板を共用して省スペース化を図ることが提案されている。これについて図５ないし図７を参照して説明する。
【０００４】
図５にメインパネル１０とサブパネル２０とを１枚のフレキシブル基板３０に接続した携帯電話機用途の表示パネル組立体１を示す。この例において、メインパネル１０，サブパネル２０ともに液晶パネルであるが、メインパネル１０はサブパネル２０よりも表示容量が大きく折り畳み式携帯電話機の蓋体側の内面に配置される。これに対して、表示容量の小さなサブパネル２０はバッテリーマーク，着信表示マークなどのアイコン表示用として蓋体側の外面に配置される。
【０００５】
フレキシブル基板３０の外縁側の一辺にはメインパネル１０の端子部１１と接続される接続片３１が形成されている。また、フレキシブル基板３０の基板内にはサブパネル２０よりも一回り大きな開口部３２が穿設されており、その開口部３２の内縁側の一辺にはサブパネル２０の端子部２１と接続される接続片３３が形成されている。
【０００６】
メインパネル１０をフレキシブル基板３０の外側で接続片３１に接続し、サブパネル２０をフレキシブル基板３０の開口部３２内で接続片３３に接続してなる表示パネル組立体１は、図６に示すようにパネルホルダ４０に装着される。
【０００７】
パネルホルダ４０は、その両面にパネル支持面４１，４２を備えている。図６はパネルホルダ４０を裏面側から見た斜視図で、その一方の表側のパネル支持面４１にメインパネル１０をすでに取り付け、これからサブパネル２０を他方の裏面側のパネル支持面４２に取り付けようとする状態を示している。
【０００８】
パネル支持面４２には、側枠４３ａによって囲まれたサブパネル収納部４３が設けられており、フレキシブル基板３０をほぼ１８０゜折り曲げて、図７に示すようにサブパネル２０をサブパネル収納部４３内にはめ込むことにより組立が完了する。このように、メインパネル１０とサブパネル２０とでフレキシブル基板３０を共用するとともに、フレキシブル基板３０内にサブパネル２０を配置することにより、省スペース化と薄型化とを図ることができる。
【０００９】
なお、メインパネル１０およびサブパネル２０は、通常、各パネル支持面４１，４２に対して図示しない両面粘着（接着）テープにより固定されるが、これとは別に係止爪と係止片とを含む係止手段が用いられることもある。また、液晶パネルが透過型もしくは半透過型の場合には、メインパネル１０とサブパネル２０との間に、図６に示すようにバックライトユニットに含まれる導光板４４が配置される。
【００１０】
【特許文献１】特開２００３−２９５２１３号公報（図４）
【発明の開示】
【発明が解決しようとする課題】
【００１１】
ところで、上記従来例ではフレキシブル基板３０にサブパネル２０を配置するための開口部３２が設けられ、その分、パネル駆動用制御回路の形成領域が削られることになるため、残された部分を目一杯利用して制御回路を設計する必要が生ずる。
【００１２】
そのため、図７に示すように、例えばフレキシブル基板３０のうちの開口部３２の上部と下部とにそれぞれパネル駆動用の電子部品実装領域３５ａ，３５ｂを割り当て、開口部３２の左右両側を上記各電子部品実装領域３５ａ，３５ｂ内の電子部品間を接続する引き回し配線部３６ａ，３６ｂとしている。
【００１３】
携帯電話機の分野において、サブパネル２０はメインパネル１０の補助的な存在との認識が一般的であり、表示容量が小さくても特に問題とされていなかったが、最近では一度に送信する情報量が急速に増えていることから、一部の機種ではサブパネル２０についてもメインパネル１０と同程度の幅として、その表示容量を大きくすることが要望されている。
【００１４】
しかしながら、上記従来例の場合、サブパネル２０の幅を広げようとすると、それに伴って引き回し配線部３６ａ，３６ｂの幅を狭くしなければならないため、サブパネル２０の拡幅化を図るにも限界があり、少なくともメインパネル１０と同程度の幅とすることはできない。
【００１５】
したがって、本発明の課題は、２枚の表示パネルのうちの一方の第１表示パネルをフレキシブル基板の外側に接続し、他方の第２表示パネルについてはフレキシブル基板の開口部内で接続し、各表示パネルをパネルホルダの両面に配置してなる表示装置において、フレキシブル基板の開口部内に配置される第２表示パネルの幅を第１表示パネルとほぼ同程度にまで拡幅可能にすることにある。
【課題を解決するための手段】
【００１６】
上記課題を解決するため、本発明は、ともに端子部を有する第１および第２表示パネルと、基板内にパネル配置用の開口部を有するとともに、その開口部内縁側および基板外縁側の各一辺に上記端子部に対する接続片が形成されているフレキシブル基板と、両面にパネル支持面を有するパネルホルダとを含み、上記第１表示パネルが上記基板外縁側の接続片に接続された状態で上記パネルホルダの一方のパネル支持面に配置され、上記第２表示パネルが上記開口部内でその開口部内縁側の接続片に接続された状態で上記フレキシブル基板の折り曲げ部を介して上記パネルホルダの他方のパネル支持面に配置され、上記フレキシブル基板のうちの上記開口部の上部（上記基板外縁の接続片側）と下部とにそれぞれパネル駆動用の電子部品が実装され、上記開口部の左右両側に上記電子部品の引き回し配線部が設けられている表示装置において、上記引き回し配線部の一部もしくは全部が上記パネルホルダの外側に張り出され、その張出部がほぼ直角に折り曲げられて上記パネルホルダの側面に固定されていることを特徴としている。
【００１７】
本発明において、装置全体の厚さが嵩張らないようにするうえで、上記張出部の突出幅が上記パネルホルダの側面の幅以下であることが好ましい。
【発明の効果】
【００１８】
本発明によれば、上記フレキシブル基板の開口部の左右両側に存在する上記引き回し配線部の一部もしくは全部が上記パネルホルダの外側に張り出されているため、上記フレキシブル基板の開口部内に配置される上記第２表示パネルの幅をより広げることができる。
【発明を実施するための最良の形態】
【００１９】
次に、図１ないし図４を参照して本発明の実施形態について説明する。図１はメインパネルとサブパネルとを含む表示パネル組立体を示す平面図で先の図５と対応している。図２はサブパネルをパネルホルダに装着した状態を示す表示装置の背面図で先の図７に対応している。図３および図４はそれぞれ本発明の要部を示す斜視図である。なお、先に説明した従来例と変更を要しない部分には同じ参照符号を用いる。
【００２０】
本発明の一例として図１に示す表示パネル組立体１Ａは、先に説明した従来例と同じくメインパネル１０とサブパネル２０とを１枚のフレキシブル基板３０に接続してなる携帯電話機用であり、メインパネル１０とサブパネル２０は液晶パネルであるが、有機ＥＬパネルが用いられてもよい。
【００２１】
フレキシブル基板３０の外縁側の一辺には接続片３１が形成されており、この接続片３１にメインパネル１０の端子部１１が接続される。また、フレキシブル基板３０の基板内にはサブパネル２０よりも一回り大きな開口部３２が穿設されており、その開口部３２の内縁側の一辺には接続片３３が形成されている。サブパネル２０は開口部３２に配置されその端子部２１が接続片３３と接続される。
【００２２】
この表示パネル組立体１Ａも、先の従来例における図６で説明したのと同様にしてパネルホルダ４０に取り付けられる。図２にパネルホルダ４０に対するサブパネル２０の取り付け状態を示すが、この図２から分かるように、本発明においてフレキシブル基板３０の左右の両側辺３０ａ，３０ｂはパネルホルダ４０の外側に張り出している。
【００２３】
そして、この張り出した部分（張出部）に、引き回し配線部３６ａ，３６ｂを割り当てて、開口部３２の上部（接続片３１の形成側）と下部とに配置されている電子部品実装領域３５ａ，３５ｂ内の電子部品間を接続する。
【００２４】
このように、引き回し配線部３６ａ，３６ｂをパネルホルダ４０の外側に配置することにより、その分、開口部３２の幅を広げることができるため、図１においてメインパネル１０とサブパネル２０とを比べて分かるように、サブパネル２０の幅をメインパネル１０の幅程度にまで大きくすることが可能となる。
【００２５】
引き回し配線部３６ａ，３６ｂは、図４に示すように、最終的にほぼ直角に折り曲げられて図示しない両面粘着テープによりパネルホルダ４０の側面４５に固定される。そのとき、引き回し配線部３６ａ，３６ｂの端縁が側面４５からメインパネル１０側に突出しないようにするため、引き回し配線部３６ａ，３６ｂの幅（張出部の幅）Ｗ１を側面４５の幅Ｗ２以下（Ｗ１≦Ｗ２）とすることが好ましい。
【産業上の利用可能性】
【００２６】
以上、メインパネルとサブパネルとをパネルホルダを挟んで背中合わせとした携帯電話機用途の表示装置を例にして本発明を説明したが、本発明は２枚の表示パネルをパネルホルダを挟んで背中合わせとして用いる表示装置のすべてに利用することができる。
【図面の簡単な説明】
【００２７】
【図１】本発明の表示装置に用いられる表示パネル組立体の一例を示す平面図。
【図２】上記表示パネル組立体をパネルホルダに装着した状態を示す背面図。
【図３】図２の斜視図。
【図４】最終的に組立られた本発明による表示装置を示す斜視図。
【図５】従来の表示装置に用いられる表示パネル組立体の一例を示す平面図。
【図６】上記従来の表示装置で表示パネル組立体をパネルホルダに取り付ける状態を示す斜視図。
【図７】上記従来の表示装置を示す背面図。
【符号の説明】
【００２８】
１Ａ  表示パネル組立体
１０  メインパネル
１１  端子部
２０  サブパネル
２１  端子部
３０  フレキシブル基板
３１，３３  接続片
３２  開口部
３５ａ，３５ｂ  電子部品実装領域
３６ａ，３６ｂ  引き回し配線部
４０  パネルホルダ
４５  側面
【図１】
2006071694.tif 000003
【図２】
2006071694.tif 000004
【図３】
2006071694.tif 000005
【図４】
2006071694.tif 000006
【図５】
2006071694.tif 000007
【図６】
2006071694.tif 000008
【図７】
2006071694.tif 000009